(57)【要約】  グリーンマーカーとゴルフ用フォークとを一連の動作で使用することができて使い勝手がよく、マナーの向上を図ることができるグリーンマーカー保持部を有するゴルフ用フォークホルダーを提供する。ホルダー本体１にゴルフ用フォーク３とグリーンマーカー２とが保持可能に構成されるとともに、プレイヤーに装着するための装着手段が設けられている。ゴルフ用フォーク３がホルダー本体１内に抜き差し自在に設けられるとともに、グリーンマーカー２がホルダー本体１の表面に着脱自在に設けられている。
2007094363.tif 000002
【特許請求の範囲】
【請求項１】
ホルダー本体にゴルフ用フォークとグリーンマーカーとが保持可能に構成されるとともに、プレイヤーに装着するための装着手段が設けられたことを特徴とするグリーンマーカー保持部を有するゴルフ用フォークホルダー。
【請求項２】
前記ゴルフ用フォークが前記ホルダー本体内に抜き差し自在に設けられるとともに、前記グリーンマーカーがホルダー本体の表面に着脱自在に設けられたことを特徴とする請求項１記載のグリーンマーカー保持部を有するゴルフ用フォークホルダー。
【請求項３】
前記ホルダー本体の表面に、前記グリーンマーカーを保持する凹部が設けられたことを特徴とする請求項２に記載のグリーンマーカー保持部を有するゴルフ用フォークホルダー。
【発明の詳細な説明】
【技術分野】
【０００１】
本発明は、グリーンマーカーとゴルフ用フォークとが保持可能なグリーンマーカー保持部を有するゴルフ用フォークホルダーに関するものである。
【背景技術】
【０００２】
従来、ゴルフプレイ中において、グリーン上でボール位置をマークするためにグリーンマーカーが使用されるとともに、グリーンにできたディボット跡を修復するためにゴルフ用フォークが使用されている。【０００３】
そして、上記グリーンマーカーを帽子のひさし部に保持するようにしたものが提供されるとともに（例えば、特許文献１参照。）、上記ゴルフ用フォークをシューズに設けた収容部に収容するようにしたものが提供されている（例えば、特許文献２参照。）。
【特許文献１】実用新案登録第３１１４６９６号公報
【特許文献２】特開２００１−１２８７０４号公報
【発明の開示】
【発明が解決しようとする課題】
【０００４】
しかしながら、上記従来のものでは、グリーンマーカーとゴルフ用フォークとを共に独立した状態で保持しているため、グリーンマーカーを取り出す動作とゴルフ用フォークを取り出す動作が完全に別々になっており、使い勝手が悪いという問題があった。【０００５】
特に、ゴルフ用フォークの使い勝手が悪くなると、プレイヤーがディボット跡の修復を怠る傾向が見られマナーの低下を招く要因になっていた。【０００６】
本発明は、上記問題点に鑑みてなされたもので、その目的とするところは、グリーンマーカーとゴルフ用フォークとを一連の動作で使用することができて使い勝手がよく、マナーの向上を図ることができるグリーンマーカー保持部を有するゴルフ用フォークホルダーを提供することにある。
【課題を解決するための手段】
【０００７】
上記の目的を達成するため、請求項１に係る発明のグリーンマーカー保持部を有するゴルフ用フォークホルダーは、ホルダー本体にゴルフ用フォークとグリーンマーカーとが保持可能に構成されるとともに、プレイヤーに装着するための装着手段が設けられたものである。【０００８】
請求項２に係る発明のグリーンマーカー保持部を有するゴルフ用フォークホルダーは、前記ゴルフ用フォークが前記ホルダー本体内に抜き差し自在に設けられるとともに、前記グリーンマーカーがホルダー本体の表面に着脱自在に設けられたものである。【０００９】
請求項３に係る発明のグリーンマーカー保持部を有するゴルフ用フォークホルダーは、前記ホルダー本体の表面に、前記グリーンマーカーを保持する凹部が設けられたものである。
【発明の効果】
【００１０】
本発明によれば、グリーンマーカーとゴルフ用フォークとを一連の動作によって使用することができるので、非常に使い勝手が良いとともに、ゴルフ用フォークの使用を促進することができ、グリーン上でのマナーの向上を図ることができる。
【図面の簡単な説明】
【００１１】
【図１】本発明の実施の形態１に係る、グリーンマーカー保持部を有するゴルフ用フォークホルダーをゴルフシューズに装着した状態を示す斜視図である。
【図２】図１に示す、グリーンマーカー保持部を有するゴルフ用フォークホルダーを示す分解斜視図である。
【図３】図１に示す、グリーンマーカー保持部を有するゴルフ用フォークホルダーの表面側を示す斜視図である。
【図４】図１に示す、グリーンマーカー保持部を有するゴルフ用フォークホルダーの裏面側を示す斜視図である。
【図５】本発明の実施の形態２に係る、グリーンマーカー保持部を有するゴルフ用フォークホルダーをゴルフシューズに装着した状態を示す斜視図である。
【図６】図５に示す、グリーンマーカー保持部を有するゴルフ用フォークホルダーを示す全体斜視図である。
【図７】図５に示す、グリーンマーカー保持部を有するゴルフ用フォークホルダーを示す分解斜視図である。
【図８】図５に示す、グリーンマーカー保持部を有するゴルフ用フォークホルダーを示す正面図である。
【符号の説明】
【００１２】
１  ホルダー本体
２  グリーンマーカー
３  ゴルフ用フォーク
４  装着手段
Ａ  シューズ
Ａ１  靴紐
【発明を実施するための最良の形態】
【００１３】
＜実施の形態１＞
以下、本発明の実施の形態１について図面を参照して説明する。【００１４】
この実施の形態１に係るホルダーは、図１に示すように、ホルダー本体１を後述する装着手段４によって例えばシューズＡに装着するように設けたもので、このホルダー本体１にグリーンマーカー２とゴルフ用フォーク３とが保持可能に構成されている。【００１５】
具体的には、図２に示すように、ホルダー本体１は、その内部にゴルフ用フォーク３が抜き差し自在なように中空状に形成されており、一端部に形成された開口１１を通じて内部にゴルフ用フォーク３を挿入した状態で後述する係止手段によって保持するようにしている。【００１６】
ゴルフ用フォーク３は、基端部３ａが平板状に形成されており、この基端部３ａから例えば３本のフォーク部３１が延設されている。このゴルフ用フォーク３は、フォーク部３１に幅方向の弾性を持たせるようにプラスチックなどの弾性を有する材質で形成されており、左右両端のフォーク部３１の途中部に側方に円弧状に膨出してなる係止部３２が形成されている。【００１７】
一方、前記ホルダー本体１の両側部には、当該ホルダー本体１内にゴルフ用フォーク３を差し込んだ際に上記係止部３２が外方に突出するように係止孔１２が形成されており、この係止部３２と係止孔１２によって係止手段を構成している。このようにホルダー本体１は係止孔１２を有しており、通気性に富むので、ゴルフ用フォーク３により修復したディボット跡が湿っていた場合、濡れたままのゴルフ用フォーク３をホルダー本体１内に差し込んでも短時間でゴルフ用フォーク３が渇く。このため、次回使用時にゴルフ用フォーク３に付着した湿った土などで手が汚れるといった心配が少ない。【００１８】
前記グリーンマーカー２は、その底部に保持手段として例えば図示しないマグネットが設けられており、上述したホルダー本体１を鉄などの磁性体で作製することによって当該ホルダー本体１の表面１ａ（図２及び図３参照）に着脱自在な状態で保持するようにしている。【００１９】
さらに、ホルダー本体１の裏面側には、図４に示すように装着手段４が設けられている。装着手段４は、例えばシューズＡの靴紐Ａ１を利用して当該シューズＡに装着できるように靴紐Ａ１が挿通可能な左右一対の挿通孔によって構成されている。このように左右一対の挿通孔に靴紐Ａ１を通すようにすることで、障害物を回避しながら例えば図１に示すようなシューズＡの正面先端部に装着することができる。【００２０】
従って、本発明のグリーンマーカー保持部を有するゴルフ用フォークホルダーを使用するプレイヤーは、グリーン上においてシューズＡ先端部に装着したホルダー本体１にマグネットによって保持しているグリーンマーカー２を前かがみになりながら当該ホルダー本体１から取り外すことによってマーキングするとともに、必要に応じてこの一連の動作を利用してホルダー本体１からゴルフ用フォーク３を引き抜くことで、このゴルフ用フォーク３によってディボット跡を修復する。【００２１】
なお、ゴルフ用フォーク３は、左右の係止部３２を手で摘んで内方に押込みながら引き抜くことによってホルダー本体１から容易に引き抜くことができるとともに、フォーク部３１を開口１１を通じて強制的に内部に押し込むことで当該フォーク部３１の弾性によってホルダー本体１に容易に挿入保持させることができる。【００２２】
このようにグリーンマーカー２とゴルフ用フォーク３とを一連の動作によって使用することができるので、非常に使い勝手が良いとともに、ゴルフ用フォーク３の使用を促進することができ、グリーン上でのマナーの向上を図ることができる。【００２３】
また、ホルダー本体１の表面に、適宜な絵柄を描くことで意匠性を高めることができるとともに、メーカーのマークやロゴなどを描くことによって宣伝効果を高めることができさらに付加価値を高めることができる。
＜実施の形態２＞
本発明の実施の形態２を図５〜図８に示す。【００２４】
なお、この実施の形態２においては、上記した実施の形態１と実質的に同一の構成要素については同一の符号を付し、その説明を省略する。【００２５】
図５は、グリーンマーカー保持部を有するゴルフ用フォークホルダーをゴルフシューズＡに装着した状態を示している。【００２６】
本実施の形態のものは、上記した実施の形態１のものと、ホルダー本体１の形態、ゴルフ用フォーク３の形態、及びホルダー本体１とゴルフ用フォーク３との係合形態の３点において相違するものである。以下、その相違点を中心に本実施の形態について説明する。【００２７】
ホルダー１本体の表面１ａには、複数個のグリーンマーカー２を保持するための凹部１３が形成されている。この凹部１３の表面には磁性体であるメタルシートが貼着されており、マグネットが設けられたグリーンマーカー２がこの凹部１３に磁着されるようになっている。このように、グリーンマーカー２を保持する部分を凹部１３とすることで、グリーンマーカー２が何らかの物体と接触してもホルダー１本体の表面１ａから脱落しにくくなる。また、凹部１３の深さとグリーンマーカー２の厚みとを略揃うようにしておくと、グリーンマーカー２の頂部がホルダー１本体の表面１ａから突出しないので、表面１ａ上を他の物体が掠めても物体がグリーンマーカー２に衝突することがなく、グリーンマーカー２の脱落が防止できる。また、上記メタルシートとして、その表面にロゴや絵柄を印刷した複数種類のものを用意しておき、好みのメタルシートと貼り替えるようにしてもよく、このようにすることによって飽きのこないものとすることができる。【００２８】
ゴルフ用フォーク３は、本実施の形態ではフォーク部３１が２本とされており、これらフォーク部３１の根本部分のそれぞれ外側には係止段部３２ａが形成されている。このようになるゴルフ用フォーク３は、実施の形態１と同様プラスチックなどの弾性を有する材質で形成されていてもよいし、それ以外に、例えばアルミニウムなどの防錆性及び弾性を有する金属で形成されていてもよい。【００２９】
このゴルフ用フォーク３の係止段部３２ａに対応して、ホルダー本体１内には、図８に示すように、円柱状の係止部１２ａが形成されている。そして、図７に示すように、ゴルフ用フォーク３のフォーク部３１をホルダー本体１内にその開口部１１から挿入し、図６に示すように、ゴルフ用フォーク３の基端部３ａにおける摘み部がホルダー本体１の端面と当接すると同時に、図８に示すように、フォーク部３１の係止段部３２ａとホルダー本体１内の係止部１２ａとが係止し、ゴルフ用フォーク３がホルダ本体１に固定される。ここで、フォーク部３１は弾性を有するプラスチック又は金属で形成されているので、係止部１２ａによってフォーク部３１がそれぞれ内側に撓み、係止段部３２ａと係止部１２ａとの係止及び解除が円滑に行われる。【００３０】
このようになる実施の形態２にあっては、ゴルフ用フォーク３のフォーク部３１がホルダー本体１内に完全に収納されるので、ホルダー本体１にゴルフ用フォーク３を保持した状態において、フォーク部３１に付着した土などがホルダー本体１内から外に漏出することがなく、土で周囲を汚す虞がない。【００３１】
なお、上述した実施形態１及び２は、あくまでも本発明の好適な実施態様を示すものであって、本発明はこれに限定されることなく、その範囲内において種々設計変更可能である。【００３２】
例えば、装着手段４として安全ピンを用いることで、靴、並びにズボンなどの裾や衣服のプレイヤーが使い易い箇所にホルダー本体１を装着することができる。【００３３】
また、グリーンマーカー２を保持する保持手段もマグネットに限らず、グリーンマーカー２を保持できる適宜なものでよく、さらにゴルフ用フォーク３の係止手段も係止部３２と係止孔１２や、係止段部３２ａと係止部１２ａに限るものではない。
【産業上の利用可能性】
【００３４】
ゴルフ競技に利用することができる。
【図１】
2007094363.tif 000003
【図２】
2007094363.tif 000004
【図３】
2007094363.tif 000005
【図４】
2007094363.tif 000006
【図５】
2007094363.tif 000007
【図６】
2007094363.tif 000008
【図７】
2007094363.tif 000009
【図８】
2007094363.tif 000010
【国際調査報告】
2007094363.tif 000011
2007094363.tif 000012